(57)【要約】【課題】所定の位置に設けられ、記憶部に記憶した識別情報に基づいて所定の制御を行う通信装置に、所定の位置に対応する識別情報を記憶させる通信システムを提供する。【解決手段】通信システムは、所定の位置に設けられ、第１の記憶部に記憶した識別情報に基づいて所定の制御を行う通信装置と、所定の位置に対応する第１の識別情報を含む設定情報を送信する管理装置とを含む通信システムであって、所定の範囲内の検知対象を検知する検知部と、検知部が前記検知対象を検知したとき、設定情報の送信を要求する要求情報を送信する要求情報送信部と、要求情報送信部が要求情報を送信した後、要求情報に応じて管理装置から送信される設定情報を受信する設定情報受信部と、設定情報受信部が受信した設定情報に含まれる第１の識別情報を第１の記憶部に記憶させる処理を実行する第１の設定処理部と、を有する。【選択図】図４
2017212514.tif 000002
【特許請求の範囲】
【請求項１】
所定の位置に設けられ、第１の記憶部に記憶した識別情報に基づいて所定の制御を行う通信装置と、前記所定の位置に対応する第１の識別情報を含む設定情報を送信する管理装置とを含む通信システムであって、
所定の範囲内の検知対象を検知する検知部と、
前記検知部が前記検知対象を検知したとき、前記設定情報の送信を要求する要求情報を送信する要求情報送信部と、
前記要求情報送信部が前記要求情報を送信した後、前記要求情報に応じて前記管理装置から送信される前記設定情報を受信する設定情報受信部と、
前記設定情報受信部が受信した前記設定情報に含まれる前記第１の識別情報を前記第１の記憶部に記憶させる処理を実行する第１の設定処理部と、
を有する通信システム。
【請求項２】
前記所定の位置とは異なる位置に設けられた他の通信装置と通信する通信部と、
前記通信部を用いて、前記設定情報に含まれる前記第１の識別情報を前記他の通信装置に通知する通知部と、
を有し、
前記第１の設定処理部は、
前記通信部が、前記他の通信装置から前記第１の識別情報を使用していることを示す情報を受信した場合、前記設定情報に含まれる前記第１の識別情報を前記第１の記憶部に記憶させる制御を中止する請求項１に記載の通信システム。
【請求項３】
前記所定の位置とは異なる位置に設けられた他の通信装置と通信する通信部と、
前記通信部が、前記他の通信装置から通知される第２の識別情報を含む通知を受信した場合、前記受信した通知に含まれる前記第２の識別情報を記憶する第２の記憶部と、
を有し、
前記第１の設定処理部は、
前記設定情報に含まれる前記第１の識別情報が前記第２の記憶部に記憶されている場合、前記設定情報に含まれる前記第１の識別情報を前記第１の記憶部に記憶させる制御を中止する請求項１に記載の通信システム。
【請求項４】
前記検知部が検知する前記所定の範囲内の検知対象は、
前記管理装置、又は人であることを特徴とする請求項１乃至３のいずれか一項に記載の通信システム。
【請求項５】
前記検知部は、前記所定の範囲内の複数の検知対象を検知し、
前記要求情報送信部は、
前記検知部が、所定の数の検知対象を検知した場合、前記設定情報の送信を要求する要求情報を送信する請求項１乃至４のいずれか一項に記載の通信システム。
【請求項６】
前記要求情報送信部は、
前記管理装置から送信される予め定められた情報を受け付けた後に、前記設定情報の送信を要求する要求情報を出力する処理を開始する請求項１乃至５のいずれか一項に記載の通信システム。
【請求項７】
前記管理装置から通知される１つ以上の第３の識別情報を記憶する第３の記憶部と、
前記第３の記憶部に前記１つ以上の第３の識別情報が記憶されている場合、前記検知部が前記検知対象を検知したときに、前記第３の記憶部に記憶された前記第３の識別情報のうち、一の識別情報を前記第１の記憶部に記憶させる第２の設定処理部と、
を有する請求項１に記載の通信システム。
【請求項８】
所定の位置に設けられ、記憶部に記憶した識別情報に基づいて所定の制御を行う通信装置と、前記所定の位置に対応する前記識別情報を含む設定情報を送信する管理装置とを含む通信システムの前記通信装置であって、
所定の範囲内の検知対象を検知する検知部と、
前記検知部が前記検知対象を検知したとき、前記設定情報の送信を要求する要求情報を送信する要求情報送信部と、
前記要求情報送信部が前記要求情報を送信した後、前記要求情報に応じて前記管理装置から送信される前記設定情報を受信する設定情報受信部と、
前記設定情報受信部が受信した前記設定情報に含まれる前記識別情報を前記記憶部に記憶させる処理を実行する設定処理部と、
を有する通信装置。
【請求項９】
所定の位置に設けられ、記憶部に記憶した識別情報に基づいて所定の制御を行う通信装置と、前記所定の位置に対応する前記識別情報を含む設定情報を送信する管理装置とを含む通信システムにおける識別情報の設定方法であって、
前記通信装置が、
所定の範囲内の検知対象を検知する検知ステップと、
前記検知ステップで前記検知対象を検知したとき、前記設定情報の送信を要求する要求情報を送信する送信ステップと、
前記送信ステップで前記要求情報を送信した後、前記要求情報に応じて前記管理装置から送信される前記設定情報を受信する受信ステップと、
前記受信ステップで受信した前記設定情報に含まれる前記識別情報を前記記憶部に記憶させる処理を実行する設定処理ステップと、
を含む識別情報の設定方法。
【請求項１０】
請求項９に記載の識別情報の設定方法を、通信装置に実行させるためのプログラム。
【発明の詳細な説明】
【技術分野】
【０００１】
本発明は、通信システム、通信装置、識別情報の設定方法、及びプログラムに関する。
【背景技術】
【０００２】
オフィスの照明装置等の機器を遠隔から制御（例えば、点灯、消灯、調光等）する技術が知られている。
【０００３】
また、照明装置等の機器の設置施工時に、設置施工される機器等の機器ＩＤと、設置される場所の３次元の位置情報とを紐付けて、施工マスタファイルに登録し、機器の制御を行う制御システムが知られている（例えば、特許文献１参照）。
【発明の概要】
【発明が解決しようとする課題】
【０００４】
特許文献１に開示された技術では、照明装置等の機器が自装置を識別する識別情報である機器ＩＤを予め記憶しておき、機器から送信される機器ＩＤと、３次元の位置情報とを端末装置が紐付けてマスタファイルに登録している。
【０００５】
一方、所定の位置に設けられ、記憶部に記憶した識別情報に基づいて所定の制御を行う通信装置（機器）に、所定の位置に対応する識別情報を記憶させたいという要求がある。これにより、例えば、予め識別情報を記憶していない通信装置の位置情報を管理することができるようになること、また、識別情報の管理が容易になること等が期待できる。
【０００６】
しかし、特許文献１に開示された技術では、所定の位置に設けられ、記憶部に記憶した識別情報に基づいて所定の制御を行う通信装置に、所定の位置に対応する識別情報を記憶させることは困難である。
【０００７】
本発明の実施の形態は、上記の問題点に鑑みてなされたものであって、所定の位置に設けられ、記憶部に記憶した識別情報に基づいて所定の制御を行う通信装置に、所定の位置に対応する識別情報を記憶させる通信システムを提供することを目的とする。
【課題を解決するための手段】
【０００８】
上記課題を解決するため、本発明の一実施形態に係る通信システムは、所定の位置に設けられ、第１の記憶部に記憶した識別情報に基づいて所定の制御を行う通信装置と、前記所定の位置に対応する第１の識別情報を含む設定情報を送信する管理装置とを含む通信システムであって、所定の範囲内の検知対象を検知する検知部と、前記検知部が前記検知対象を検知したとき、前記設定情報の送信を要求する要求情報を送信する要求情報送信部と、前記要求情報送信部が前記要求情報を送信した後、前記要求情報に応じて前記管理装置から送信される前記設定情報を受信する設定情報受信部と、前記設定情報受信部が受信した前記設定情報に含まれる前記第１の識別情報を前記第１の記憶部に記憶させる処理を実行する第１の設定処理部と、を有する。
【発明の効果】
【０００９】
本発明の一実施形態によれば、所定の位置に設けられ、記憶部に記憶した識別情報に基づいて所定の制御を行う通信装置に、所定の位置に対応する識別情報を記憶させる通信システムを提供することができる。
【図面の簡単な説明】
【００１０】
【図１】一実施形態に係る通信システムの構成例を示す図である。
【図２】一実施形態に係る通信装置のハードウェア構成例を示す図である。
【図３】一実施形態に係る管理装置のハードウェア構成例を示す図である。
【図４】一実施形態に係る通信システムの機能構成図である。
【図５】一実施形態に係る管理装置が管理する情報の例を示す図である。
【図６】第１の実施形態に係る通信装置の設定処理の例を示すフローチャートである。
【図７】第１の実施形態に係る通信システムの設定処理の例を示すシーケンス図である。
【図８】第１の実施形態に係る管理装置の表示画面の例を示す図である。
【図９】第２の実施形態に係る通信装置の設定処理の例を示すフローチャートである。
【図１０】第３の実施形態に係る他装置ＩＤの記憶処理の例を示すフローチャートである。
【図１１】第３の実施形態に係る通信装置の設定処理の例を示すフローチャートである。
【図１２】第４の実施形態に係る通信装置の設定処理の例を示すフローチャートである。
【図１３】第５の実施形態に係る通信装置の設定処理の例を示すフローチャートである。
【図１４】第６の実施形態に係る通信システムの機能構成図である。
【図１５】第７の実施形態に係る通信システムの設定処理の例を示すシーケンス図である。
【図１６】一実施形態に係る通信システムの処理の例を示す図（１）である。
【図１７】一実施形態に係る通信システムの処理の例を示す図（２）である。
【発明を実施するための形態】
【００１１】
以下に、本発明の実施の形態について、添付の図面を参照して説明する。
【００１２】
＜システムの構成＞
初めに、本実施形態に係る通信システムの構成について説明する。
【００１３】
図１は、一実施形態に係る通信システムの構成例を示す図である。通信システム１００は、例えば、オフィス等の部屋１０８に設けられた複数の通信装置１０１−１〜１０１−８、及び管理装置１０２を有する。なお、以下の説明の中で、複数の通信装置１０１−１〜１０１−８のうち、任意の通信装置を示す場合、「通信装置１０１」を用いる。また、図１に示す通信装置１０１の数は一例であり、通信装置１０１の数は１つ以上の他の数であっても良い。
【００１４】
通信装置１０１は、例えば、照明装置、検知装置（センサ）、スピーカ、位置情報発信装置等の、通信機能を有する電子機器である。複数の通信装置１０１−１〜１０１−８は、図１に示すように、部屋１０８の天井等の互いに異なる位置に設置されている。
【００１５】
通信装置１０１は、通信装置１０１を識別する識別情報（以下、装置ＩＤと呼ぶ）を記憶する装置ＩＤ記憶部を有しており、装置ＩＤ記憶部に記憶した装置ＩＤに基づいて所定の制御を行う。
【００１６】
例えば、通信装置１０１が照明装置である場合、通信装置１０１は、装置ＩＤ記憶部に記憶した装置ＩＤを含む制御情報を受信すると、受信した制御情報に従って、所定の制御（例えば、照明のオン、オフ、調光等）を行う。これにより、例えば、管理者１０３は、管理装置１０２等により、装置ＩＤを含む制御情報を通信装置１０１に送信し、各通信装置１０１を個別に制御することができる。
【００１７】
また、通信装置１０１が検知装置である場合、通信装置１０１は、通信装置１０１が検知した検知情報（例えば、移動体の有無、明るさ、温度等）に、装置ＩＤ記憶部に記憶した装置ＩＤを付与して、所定の機器（例えば、管理装置１０２）に送信する。これにより、例えば、管理装置１０２等は、受信した検知情報が、どの通信装置１０１から送信された検知情報であるか、或いは、どの位置で検知された検知情報であるかを管理することができる。
【００１８】
また、複数の通信装置１０１−１〜１０１−８は、互いに異なる所定の範囲内で検知対象となる管理装置１０２や、管理装置１０２を利用する管理者（人の一例）１０３等を検知する１つ以上の検知デバイス１０４を有する。図１の例では、通信装置１０１−１は、検知デバイス１０４を用いて、所定の範囲１０５内に管理装置１０２があること、又は所定の範囲１０５内に人（管理者１０３）がいること等を検知することができる。
【００１９】
なお、検知デバイス１０４は、例えば、管理者１０３が所持しているＩＣカード、情報端末、発光デバイス、熱源等を検知するものであっても良いし、管理装置１０２から出力される所定の音波、電波等を検知するものであっても良い。要するに、通信装置１０１の検知デバイス１０４は、所定の範囲内の検知対象を検知できるものであれば良い。
【００２０】
なお、本実施形態では、通信装置１０１は、所定の位置に設置されたときには、装置ＩＤ記憶部に装置ＩＤを記憶していなくても良い。本実施形態に係る通信システム１００では、所定の位置に設置された装置ＩＤを記憶していない通信装置１０１に対して、管理装置１０２を用いて個別に装置ＩＤを記憶させることができる。
【００２１】
管理装置１０２は、通信機能を有する、例えば、ＰＣ（Personal Computer）、タブレット端末、スマートフォン等の汎用の情報端末、或いは、専用の情報処理装置である。管理装置１０２は、通信システム１００に対応する所定のアプリケーションプログラム（以下、アプリと呼ぶ）を実行することにより、端末ＩＤを記憶していない通信装置１０１に、装置ＩＤを記憶させる管理装置１０２として機能する。
【００２２】
また、図１において、複数の通信装置１０１−１〜１０１−８、及び管理装置１０２は、所定の通信方式で互いに通信可能であるものとする。
【００２３】
例えば、各通信装置１０１、及び管理装置１０２は、所定の無線通信により中継装置１０６に接続し、互いに通信可能なものであっても良い。或いは、管理装置１０２は、他の公衆無線通信等により、ネットワーク１０７に接続し、中継装置１０６を介して、各通信装置１０１と通信可能なものであっても良い。
【００２４】
なお、所定の無線通信は、例えば、Ｚｉｇｂｅｅ（登録商標）や、ＵＷＢ（Ultra Wide Band）等の無線ＰＡＮ（Personal Area Network）、無線ＬＡＮ（Local Area Network）、又は特定省電力無線等を用いることができる。また、各装置間の通信方式は無線通信に限られず、有線による通信が行われる区間が含まれていても良い。
【００２５】
上記の構成において、例えば、複数の通信装置１０１−１〜１０１−８は、装置ＩＤ記憶部に装置ＩＤを記憶していないものとする。この場合、通信装置１０１−１は、所定の範囲１０５の検知対象（例えば、人）を検知すると、装置ＩＤを設定する設定情報の送信を要求する要求情報を、例えば、所定の無線通信で一斉送信する。
【００２６】
管理装置１０２は、要求情報を受信すると、現在の位置に対応する装置ＩＤを含む設定情報を、例えば、所定の無線通信で一斉送信する。
【００２７】
通信装置１０１−１は、要求情報を送信した後に設定情報を受信すると、受信した設定情報に含まれる装置ＩＤを、装置ＩＤ記憶部に記憶する。
【００２８】
一方、他の通信装置１０１−２〜１０１−８は、自装置に対応する所定の範囲内で検知対象が検知されていない場合、通信装置１０１−１から一斉送信される要求情報、及び管理装置１０２から送信される設定情報を、例えば、無視する。これにより、本実施形態に係る通信システム１００では、通信装置１０１が、個別の識別情報を記憶しておらず、また管理装置１０２の宛先情報を記憶していなくても、通信装置１０１に、装置ＩＤを設定することができる。
【００２９】
管理者１０３は、例えば、管理装置１０２が表示する部屋１０８のレイアウト図等に示された順路に従って、順次に移動することにより、各通信装置１０１に、各通信装置１０１が設置された位置に対応する装置ＩＤを設定することができる。
【００３０】
＜ハードウェア構成＞
次に、通信装置１０１、及び管理装置１０２のハードウェア構成について説明する。
【００３１】
（通信装置のハードウェア構成）
図２は、一実施形態に係る通信装置のハードウェア構成例を示す図である。
【００３２】
通信装置１０１は、例えば、ＣＰＵ（Central Processing Unit）２０１、ＲＡＭ（Random Access Memory）２０２、フラッシュＲＯＭ（Read Only Memory）２０３、通信Ｉ／Ｆ（Interface）２０４、１つ以上の検知デバイス１０４−１、１０４−２、及びバス２０５等を有する。
【００３３】
ＣＰＵ２０１は、フラッシュＲＯＭ２０３等に格納されたプログラムを実行することにより、通信装置１０１の各機能を実現する演算装置である。ＲＡＭ２０２は、ＣＰＵ２０１のワークエリア等として用いられる揮発性のメモリである。フラッシュＲＯＭ２０３は、通信装置１０１のプログラムや、装置ＩＤ等の各種の情報を記憶する不揮発性のメモリである。
【００３４】
通信Ｉ／Ｆ２０４は、他の通信装置１０１、及び管理装置１０２と、所定の通信方式で通信を行うための通信インタフェースである。通信Ｉ／Ｆ２０４の所定の通信方式は、他の通信装置１０１、及び管理装置１０２と通信できるものであれば、任意の通信方式であって良く、例えば、前述した無線ＰＡＮ、無線ＬＡＮ、特定省電力無線等を用いることができる。
【００３５】
１つ以上の検知デバイス１０４−１、１０４−２は、通信装置１０１が、通信装置１０１に対応する所定の範囲の検知対象を検知する各種のセンサや、近距離無線デバイス等である。なお、以下の説明の中で、１つ以上の検知デバイス１０４−１、１０４−２のうち、任意の検知デバイス１０４を示す場合、「検知デバイス１０４」を用いる。
【００３６】
検知デバイス１０４は、所定の検知対象を検知することができるものであれば、任意のデバイスであって良い。例えば、検知デバイス１０４は、前述した人感センサや、移動体センサ等であっても良いし、管理者１０３が所持しているＩＣカード、情報端末、発光デバイス、熱源等を検知するものであっても良い。さらに、検知デバイス１０４は、管理装置１０２から出力される所定の音波、電波等を検知するものであっても良い。
【００３７】
バス２０５は、上記の各構成要素に接続され、アドレス信号、データ信号、及び各種制御信号等を伝送する。
【００３８】
なお、図２に示す通信装置１０１のハードウェア構成は一例である。例えば、通信装置１０１が照明装置である場合、通信装置１０１は、例えば、ＬＥＤ（Light Emitting Diode）等の光源をさらに有する。また、通信装置１０１が、位置情報出力装置である場合、通信装置１０１は、位置情報を発信する近距離無線通信部や、音波出力部等をさらに有する。
【００３９】
（管理装置のハードウェア構成）
図３は、一実施形態に係る管理装置のハードウェア構成例を示す図である。管理装置１０２は、一般的なコンピュータの構成を有する情報処理装置である。
【００４０】
管理装置１０２は、例えば、ＣＰＵ３０１、ＲＡＭ３０２、ＲＯＭ３０３、ストレージ装置３０４、通信Ｉ／Ｆ３０５、入力装置３０６、表示装置３０７、外部接続Ｉ／Ｆ３０８、及びバス３０９等を有する。
【００４１】
ＣＰＵ３０１は、ＲＯＭ３０３やストレージ装置３０４等に格納されたプログラムやデータをＲＡＭ３０２上に読み出し、処理を実行することで、管理装置１０２の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持することができる不揮発性のメモリである。
【００４２】
ストレージ装置３０４は、例えば、ＨＤＤ（Hard Disk Drive）や、ＳＳＤ（Solid State Drive）等の大容量記憶装置であり、ＯＳ（Operation System）、アプリケーションプログラム、各種データ等を記憶する。
【００４３】
通信Ｉ／Ｆ３０５は、通信装置１０１と、所定の通信方式で通信を行うための通信インタフェースである。通信Ｉ／Ｆ３０５の所定の通信方式は、通信装置１０１と通信できるものであれば、任意の通信方式であって良い。また、通信Ｉ／Ｆ３０５には、例えば、管理装置１０２をネットワーク１０７に接続するための通信インタフェースがさらに含まれていても良い。
【００４４】
入力装置３０６は、マウス等のポインティングデバイスや、キーボード等の入力デバイスであり、管理装置１０２に各操作信号を入力するために用いられる。
【００４５】
表示装置３０７はディスプレイ等の表示デバイスであり、管理装置１０２による処理結果等を表示する。
【００４６】
外部接続Ｉ／Ｆ３０８は、外部装置とのインタフェースである。外部装置には、例えば、記憶メディア３１０等が含まれる。管理装置１０２は、外部接続Ｉ／Ｆ３０８を介して、記憶メディア３１０の読取り及び／又は書き込みを行うことができる。記憶メディア３１０には、例えば、光学ディスク、磁気ディスク、メモリカード、ＵＳＢ（Universal Serial Bus）メモリ等が含まれる。また、管理装置１０２は、記憶メディア３１０に所定のプログラムを格納し、この記憶メディア３１０に格納されたプログラムを外部接続Ｉ／Ｆ３０８を介して、コンピュータ５００にインストールすることにより、所定のプログラムが実行可能となる。
【００４７】
バス３０９は、上記の各構成要素に接続され、アドレス信号、データ信号、及び各種制御信号等を伝送する。
【００４８】
なお、図３の構成はあくまで一例である。例えば、管理装置１０２は、入力装置３０６、表示装置３０７等を外部に有していても良いし、入力装置３０６及び表示装置３０７は、例えば、タッチパネルディスプレイ等の一体型の表示入力装置等であっても良い。
【００４９】
＜機能構成＞
続いて、通信システム１００の機能構成について説明を行う。
【００５０】
図４は、一実施形態に係る通信システムの機能構成図である。なお、図４において、通信装置１０１−２、１０１−３は、通信装置１０１−１と同様の機能構成を有しているものとする。
【００５１】
（通信装置の機能構成）
通信装置１０１は、通信部４１０、検知部４１１、要求情報送信部４１２、設定情報受信部４１３、設定処理部４１４、通知部４１５、装置ＩＤ記憶部４１６、他装置ＩＤ記憶部４１７、及び制御部４１８等を有する。
【００５２】
通信部４１０は、他の通信装置１０１、管理装置１０２等と通信するための手段であり、例えば、図２の通信Ｉ／Ｆ２０４、及び図２のＣＰＵ２０１で実行されるプログラム等によって実現される。
【００５３】
検知部４１１は、通信装置１０１に対応する所定の範囲内の検知対象を検知する手段であり、例えば、図２の１つ以上の検知デバイス１０４−１、１０４−２、及び図２のＣＰＵ２０１で実行されるプログラム等によって実現される。例えば、図１において、通信装置１０１−１の検知部４１１は、所定の範囲１０５内にいる管理者（人の一例）１０３、又は、所定の範囲１０５内にある管理装置１０２等を検知する。
【００５４】
なお、ここでは、一例として、検知部４１１が、所定の範囲内の移動体（人、又は装置）を検知するものとして以下の説明を行う。
【００５５】
要求情報送信部４１２は、検知部４１１が、所定の範囲内の移動体（検知対象）を検知したとき、通信部４１０を用いて、装置ＩＤを含む設定情報の送信を要求する要求情報を送信する。要求情報送信部４１２は、例えば、図２のＣＰＵ２０１で実行されるプログラムによって実現される。
【００５６】
好ましくは、要求情報送信部４１２は、検知部４１１が所定の範囲内の移動体を検知したとき、装置ＩＤを含む設定情報の送信を要求する要求情報を、通信部４１０を用いて、一斉送信（同報送信）する。
【００５７】
なお、一斉送信とは、不特定多数の通信装置１０１、及び管理装置１０２にデータ（情報）を送信することを示し、例えば、宛先を指定せずにデータを送信すること、或いは、ブロードキャストの宛先を指定してデータを送信すること等によって実現される。これにより、通信装置１０１は、管理装置１０２の宛先情報を有していない場合でも、管理装置１０２に要求情報を通知することができる。
【００５８】
設定情報受信部４１３は、要求情報送信部４１２が要求情報を送信した後、送信した要求信号に応じて管理装置１０２から送信される設定情報を、通信部４１０を介して受信する。設定情報受信部４１３は、例えば、図２のＣＰＵ２０１で実行されるプログラムによって実現される。
【００５９】
好ましくは、設定情報受信部４１３は、要求情報送信部４１２が要求情報を送信した後とは異なるタイミングで、管理装置１０２から送信される設定情報を受信しない、或いは、受信しても無視する。これにより、管理装置１０２が、他の通信装置１０１からの要求信号に応じて送信した設定情報を誤って受信してしまうことを低減させることができる。
【００６０】
設定処理部（第１の設定処理部）４１４は、設定情報受信部４１３が受信した設定情報に含まれる装置ＩＤ（第１の識別情報）を、装置ＩＤ記憶部（第１の記憶部）４１６に記憶させる処理を実行する。設定処理部４１４は、例えば、図２のＣＰＵ２０１で実行されるプログラムによって実現される。
【００６１】
なお、設定処理部４１４による、装置ＩＤを、装置ＩＤ記憶部４１６に記憶させる処理には、いくつかのオプションがあり、具体的な処理方法については、第１〜３の実施形態で後述する。
【００６２】
通知部４１５は、設定情報受信部４１３が受信した設定情報に含まれる装置ＩＤを、通信部４１０を介して、他の通信装置１０１に通知する手段であり、例えば、図２のＣＰＵ２０１で実行されるプログラムによって実現される。例えば、通知部４１５は、設定情報に含まれる装置ＩＤを含む通知を、通信部４１０で一斉送信する。なお、通知部４１５の機能は、設定処理部４１４に含まれていても良い。
【００６３】
装置ＩＤ記憶部（第１の記憶部）４１６は、通信装置１０１を識別する装置ＩＤを記憶する手段であり、例えば、図２のフラッシュＲＯＭ２０３、及び図２のＣＰＵ２０１で実行されるプログラム等によって実現される。
【００６４】
他装置ＩＤ記憶部（第２の記憶部）４１７は、通信部４１０が、他の通信装置１０１から送信される装置ＩＤ（第２の識別情報）を含む通知を受信した場合、受信した通知に含まれる装置ＩＤを記憶する。これにより、通信装置１０１は、他の通信装置１０１で利用されている装置ＩＤを特定することができるようになる。他装置ＩＤ記憶部４１７は、例えば、図２のフラッシュＲＯＭ２０３、及び図２のＣＰＵ２０１で実行されるプログラム等によって実現される。
【００６５】
制御部４１８は、装置ＩＤ記憶部４１６に記憶した装置ＩＤに基づいて所定の制御を行う手段であり、例えば、図２のＣＰＵ２０１で実行されるプログラム等によって実現される。
【００６６】
例えば、制御部４１８は、通信部４１０が、装置ＩＤ記憶部４１６に記憶した装置ＩＤを含む制御情報を受信した場合、受信された制御情報に応じた所定の制御（例えば、照明のオン、オフ、調光等）を行う。また、別の一例として、制御部４１８は、検知部４１１等で検知された検知結果と、装置ＩＤ記憶部４１６に記憶した装置ＩＤとを含む検知情報を、管理装置１０２等に送信する。
【００６７】
上記の構成により、通信装置１０１は、検知部４１１により所定の検知対象が検知されると要求情報を一斉送信し、要求情報に応じて管理装置１０２から送信される設定情報に含まれる装置ＩＤを、装置ＩＤ記憶部４１６に記憶する処理を実行する。
【００６８】
（管理装置の機能構成）
管理装置１０２は、通信部４２０、レイアウト情報管理部４２１、設定順序決定部４２２、設定情報管理部４２３、機器制御部４２４、表示制御部４２５、操作受付部４２６、記憶部４２７等を有する。
【００６９】
通信部４２０は、通信装置１０１等と通信するための手段であり、例えば、図３の通信Ｉ／Ｆ３０５、及び図３のＣＰＵ３０１で実行されるプログラム等によって実現される。
【００７０】
レイアウト情報管理部４２１は、例えば、オフィス等の部屋のレイアウトを示す地図情報と、地図情報において、１つ以上の通信装置１０１が設置された場所を示す情報とを含むレイアウト情報４３１を、記憶部４２７に記憶して管理する。レイアウト情報管理部４２１は、例えば、図３のＣＰＵ３０１で実行されるプログラムによって実現される。
【００７１】
レイアウト情報管理部４２１が管理するレイアウト情報の一例を図５（ａ）に示す。図５（ａ）は、一例として、図１に示したオフィス等の部屋１０８に対応するレイアウト情報を示している。レイアウト情報は、例えば、上面から見た部屋１０８の形状５１０と、部屋の出入口５１２、窓、柱等のレイアウトを示す画像情報であり、１つ以上の通信装置１０１の設置位置を示す情報５１１が含まれる。また、図５（ａ）の例では、通信装置１０１の設置位置を示す情報５１１には、位置を示す情報の一例である位置番号１〜８が設定されている。なお、位置番号は、例えば、文字、文字列、又はそれらの組合せ等であっても良い。
【００７２】
レイアウト情報は、例えば、管理装置１０２を利用する管理者１０３や、通信装置１０１を設置した設置担当者等によって、管理装置１０２に入力される。
【００７３】
設定順序決定部４２２は、レイアウト情報管理部４２１が管理するレイアウト情報に基づいて、１つ以上の通信装置１０１の装置ＩＤを設定する順序を決定する手段であり、例えば、図３のＣＰＵ３０１で実行されるプログラムによって実現される。なお、設定順序決定部４２２による設定する順序の決定方法は任意の方法であって良いが、ここでは、一例として、レイアウト情報に含まれる位置番号の１から昇順に設定順序を決定するものとする。
【００７４】
設定情報管理部４２３は、通信装置１０１から送信される要求情報を通信部４２０が受信したとき、新たな装置ＩＤを採番し、採番した装置ＩＤと、現在、装置ＩＤの設定を行っている位置番号とを対応付けて、記憶部４２７の設定情報４３３に記憶する。また、設定情報管理部４２３は、採番した装置ＩＤを含む設定情報を、通信部４２０を介して送信する（例えば、一斉送信する）。なお、設定情報管理部４２３は、例えば、図３のＣＰＵ３０１で実行されるプログラムによって実現される。
【００７５】
なお、設定情報管理部４２３による装置ＩＤの採番方法は、任意の方法で良いが、一例として、記憶部４２７に記憶した、例えば、図５（ｂ）に示すような採番リスト４３２を用いて装置ＩＤを採番することができる。
【００７６】
図５（ｂ）の例では、採番リスト４３２には、複数の「装置ＩＤ」と、各装置ＩＤが使用済であるか、未使用であるかを示す「状態」の情報とが含まれる。設定情報管理部４２３は、例えば、採番リスト４３２に記憶された装置ＩＤのうち、未使用の装置ＩＤを、例えば、昇順に１つ採番し、採番した装置ＩＤに対応する状態を使用済に変更する。
これにより、設定情報管理部４２３は、各通信装置１０１に設定する装置ＩＤを、重複することなく採番することができる。
【００７７】
なお、採番リスト４３２は、設定情報管理部４２３による装置ＩＤの採番方法の一例であり、装置ＩＤの採番方法は任意の方法であって良い。例えば、設定情報管理部４２３は、日時の情報等に基づいて、ユニークな装置ＩＤを自動的に生成するもの等であっても良い。
【００７８】
図５（ｃ）は、設定情報管理部４２３が、記憶部４２７に記憶した設定情報４３３の一例を示している。図５（ｃ）に示す設定情報４３３には、図５（ａ）の位置番号に対応する「位置番号」と、「位置番号」に対応して設定された「装置ＩＤ」とが記憶されている。
【００７９】
図５（ｃ）の例では、図５（ａ）の位置番号「１」の位置に設置された通信装置１０１には、装置ＩＤ「０ｘ０００４」が設定されており、位置番号「２」の位置に設置された通信装置１０１には、装置ＩＤ「０ｘ０００５」が設定されていることが示されている。また、図５（ｃ）の例では、図５（ａ）の位置番号「３」〜「５」の位置に設置された通信装置１０１には、まだ装置ＩＤが設定されていないことが示されている。
【００８０】
機器制御部４２４は、記憶部４２７に記憶された設定情報４３３を用いて、通信装置１０１を制御する手段であり、例えば、図３のＣＰＵ３０１で実行されるプログラムによって実現される。
【００８１】
一例として、機器制御部４２４は、例えば、図５（ａ）に示すレイアウト情報において、位置番号「１」の通信装置１０１に対する、利用者の操作を受け付けると、設定情報４３３から位置番号「１」に対応する装置ＩＤ「０ｘ０００４」を取得する。また、機器制御部４２４は、取得した装置ＩＤ「０ｘ０００４」を含む制御情報を送信する。
【００８２】
表示制御部４２５は、例えば、レイアウト情報管理部４２１が記憶部４２７に記憶したレイアウト情報４３１と、設定順序決定部４２２が決定した設定順序とを用いて、装置ＩＤの設定順序を示す表示画面を、表示装置３０７に表示させる。表示制御部４２５は、例えば、図３のＣＰＵ３０１で実行されるプログラムによって実現される。
【００８３】
操作受付部４２６は、管理装置１０２の利用者である管理者１０３の入力操作、選択操作等を受け付ける手段であり、例えば、図３のＣＰＵ３０１で実行されるプログラムによって実現される。
【００８４】
記憶部４２７は、前述したレイアウト情報４３１、採番リスト４３２、設定情報４３３等の情報を記憶する手段であり、例えば、図３のストレージ装置３０４、ＲＡＭ３０２、及び図３のＣＰＵ３０１で実行されるプログラム等によって実現される。
【００８５】
上記の構成により、管理装置１０２は、例えば、装置ＩＤの設定順序を示す表示画面を表示し、管理者１０３等に、設定順序に従って移動することを促す。また、管理装置１０２は、管理者１０３、又は管理装置１０２が通信装置１０１によって検知されたとき、通信装置１０１から送信される要求情報に応じて、装置ＩＤを採番し、採番した装置ＩＤを含む設定情報を送信する。
【００８６】
＜処理の流れ＞
続いて、本実施形態に係る通信システム１００による装置ＩＤ（識別情報）の設定方法の処理について説明する。
【００８７】
［第１の実施形態］
（通信装置の設定処理）
図６は、第１の実施形態に係る通信装置の設定処理の例を示すフローチャートである。
【００８８】
ステップＳ６０１において、通信装置１０１は、装置ＩＤ記憶部４１６に装置ＩＤを記憶済であるか否かを判断し、装置ＩＤ記憶部４１６に装置ＩＤを記憶していない場合、ステップＳ６０２以降の処理を実行する。
【００８９】
ステップＳ６０２において、通信装置１０１は、検知部４１１が、所定の範囲内の検知対象（例えば、移動体）を検知したとき、ステップＳ６０３以降の処理を実行する。
【００９０】
ステップＳ６０３において、通信装置１０１の要求情報送信部４１２は、設定情報の送信を要求する要求情報を、通信部４１０を介して送信する。この要求情報は、例えば、管理装置１０２、及び他の通信装置１０１等に一斉送信される。
【００９１】
ステップＳ６０４において、通信装置１０１の設定情報受信部４１３は、要求情報送信部４１２が要求情報を送信した後に、送信した要求情報に応じて管理装置１０２から送信される設定情報を受信する。
【００９２】
ステップＳ６０５において、通信装置１０１の設定処理部４１４は、設定情報受信部４１３が受信した設定情報に含まれる装置ＩＤを、装置ＩＤ記憶部４１６に記憶させる記憶処理を実行する。なお、第１の実施形態では、設定処理部４１４は、設定情報受信部４１３が受信した設定情報に含まれる装置ＩＤを、そのまま、装置ＩＤ記憶部４１６に記憶するものとする。
【００９３】
上記の処理により、通信装置１０１は、装置ＩＤが設定されておらず、かつ検知部４１１が所定の範囲内で検知対象を検知した場合、要求情報を送信し、管理装置１０２から送信される設定情報に含まれる装置ＩＤを、装置ＩＤ記憶部４１６に記憶する。
【００９４】
（通信システムの設定処理）
図７は、第１の実施形態に係る通信システムの設定処理の例を示すシーケンス図である。なお、図７の開始時点において、通信装置１０１−１の装置ＩＤ記憶部４１６には、装置ＩＤが記憶されていないものとする。また、図７において、破線の矢印は、管理者による操作、移動等を示すものとする。
【００９５】
ステップＳ７０１において、管理者１０３は、管理装置１０２に対して、レイアウト情報の取得操作を行う。
【００９６】
ステップＳ７０２において、管理装置１０２は、操作受付部４２６により管理者１０３によるレイアウト情報の取得操作を受け付けると、レイアウト情報管理部４２１により、レイアウト情報を取得し、記憶部４２７のレイアウト情報４３１に記憶する。
【００９７】
例えば、レイアウト情報管理部４２１は、図３の記憶メディア３１０に記憶されたレイアウト情報を読出して、記憶部４２７に記憶する。或いは、レイアウト情報管理部４２１は、管理者１０３により指定されたＵＲＬ（Uniform Resource Locator）情報に基づいて、ネットワーク１０７からレイアウト情報を取得するもの等であっても良い。
【００９８】
ここでは、例えば、図５（ａ）に示すようなレイアウト情報が取得され、記憶部４２７のレイアウト情報４３１に記憶されるものとして、以下の説明を行う。
【００９９】
ステップＳ７０３において、管理装置１０２の設定順序決定部４２２は、装置ＩＤの設定順序を決定する。ここでは、設定順序決定部４２２は、一例として、図５（ａ）に示すレイアウト情報に含まれる位置番号の１から昇順に設定順序を決定するものとする。
【０１００】
ステップＳ７０４において、管理装置１０２の表示制御部４２５は、レイアウト情報管理部４２１が記憶部４２７に記憶したレイアウト情報４３１と、設定順序決定部４２２が決定した設定順序とを用いて、装置ＩＤの設定順序を示す表示画面を表示させる。このとき、管理装置１０２の表示装置３０７に表示される表示画面の例を図８（ａ）に示す。
【０１０１】
図８（ａ）に示す表示画面８１０には、例えば、図５（ａ）に示すレイアウト情報８１１と、装置ＩＤの設定順序を示す複数の矢印と、移動先の位置番号を示すメッセージ８１３とが表示されている。図８（ａ）の例では、移動先の位置番号として「１」が示されており、対応する矢印８１２が、強調表示されている。
【０１０２】
ステップＳ７０５において、図８（ａ）に示した表示画面８１０を見た管理者１０３は、位置番号「１」が示す位置へ移動するものとする。
【０１０３】
ステップＳ７０６において、位置番号「１」が示す位置に設置された通信装置１０１−１は、例えば、図１に示すように、所定の範囲１０５内の検知対象（管理者１０３、又は管理装置１０２）を検知する。
【０１０４】
ステップＳ７０７において、通信装置１０１−１の要求情報送信部４１２は、設定情報の送信を要求する要求情報を、通信部４１０を介して送信（例えば、一斉送信）する。
【０１０５】
ステップＳ７０８において、管理装置１０２の通信部４２０が、通信装置１０１−１から送信された要求情報を受信すると、設定情報管理部４２３は、通信装置１０１−１に設定する装置ＩＤを決定する。例えば、設定情報管理部４２３は、図５（ｂ）に示すような採番リスト４３２から、未使用の装置ＩＤ「０ｘ０００４」を採番し、状態を「使用済」に更新する。
【０１０６】
ステップＳ７０９において、管理装置１０２の設定情報管理部４２３は、例えば、図８（ａ）に示される現在の設定位置である位置番号「１」と、ステップＳ７０８で決定された装置ＩＤとを対応付けて、図５（ｃ）に示すような設定情報４３３に記憶する。
【０１０７】
ステップＳ７１０において、管理装置１０２の設定情報管理部４２３は、ステップＳ７０８で決定した装置ＩＤを含む設定情報を、通信部４２０を介して送信（例えば、一斉送信）する。
【０１０８】
ステップＳ７１１において、通信装置１０１−１の設定処理部４１４は、管理装置１０２から送信された設定情報を設定情報受信部４１３が受信すると、受信した設定情報に含まれる装置ＩＤを、装置ＩＤ記憶部４１６に記憶する。
【０１０９】
ステップＳ７１２において、好ましくは、通信装置１０１−１の設定処理部４１４は、装置ＩＤの設定が完了したことを示す完了情報を、通信部４１０を介して送信（例えば、一斉送信）する。
【０１１０】
ステップＳ７１３において、管理装置１０２の表示制御部４２５は、図８（ａ）に示した表示画面８１０を更新し、例えば、図８（ｂ）に示すような表示画面８２０を、表示装置３０７に表示させる。
【０１１１】
図８（ｂ）に示す表示画面８２０では、例えば、図８（ａ）に示す表示画面８１０から、移動先の位置番号を示すメッセージ８２３と、次の移動先を示す強調表示された矢印８２１が更新されている。この表示画面８２０により、管理者１０３は、次に位置番号「２」が示す位置に移動することを認識することができる。
【０１１２】
ステップＳ７１４において、図８（ｂ）に示した表示画面８２０を見た管理者１０３は、位置番号「２」が示す位置へ移動する
このように、本実施形態に係る通信システム１００では、管理装置１０２の管理者が、管理装置１０２に表示される表示画面に従って移動することにより、自動的に移動先の通信装置１０１に装置ＩＤが設定される。
【０１１３】
以上、本実施形態に係る通信システム１００によれば、所定の位置に設けられ、装置ＩＤ記憶部４１６に記憶した装置ＩＤに基づいて所定の制御を行う通信装置１０１に、所定の位置に対応する識別情報を記憶させることができるようになる。
【０１１４】
［第２の実施形態］
第１の実施形態に係る通信装置１０１は、例えば、図６のステップＳ６０５に示す装置ＩＤの記憶処理において、設定情報に含まれる装置ＩＤを、そのまま装置ＩＤ記憶部４１６に記憶していた。
【０１１５】
第２の実施形態では、通信装置１０１は、装置ＩＤの記憶処理において、通知部４１５が、設定情報に含まれる装置ＩＤを含む通知を通信部４１０を介して一斉送信する。また、通信装置１０１の設定処理部４１４は、他の通信装置１０１から、通知した装置ＩＤを使用していることを示す重複情報が受信されると、設定情報に含まれる装置ＩＤを、装置ＩＤ記憶部４１６に記憶させる処理を中止する。これにより、通信装置１０１は、他の通信装置１０１と装置ＩＤが重複することを低減させることができる。
【０１１６】
図９は、第２の実施形態に係る通信装置の設定処理の例を示すフローチャートである。なお、図９のステップＳ６０１〜Ｓ６０４の処理は、図６に示す第１の実施形態に係る通信装置の設定処理と同様なので、ここでは、第１の実施形態との相違点を中心に説明を行う。
【０１１７】
通信装置１０１は、ステップＳ６０４において、設定情報受信部４１３が設定情報を受信すると、第２の実施形態に係る装置ＩＤの記憶処理９００を実行する。
【０１１８】
ステップＳ９０１において、通信装置１０１の通知部４１５は、設定情報受信部４１３が受信した設定情報から取得した装置ＩＤを、他の通信装置１０１に通知する。例えば、通知部４１５は、設定情報受信部４１３が受信した設定情報から取得した装置ＩＤを含む通知を、通信部４１０を介して一斉送信する。
【０１１９】
ステップＳ９０２において、通信装置１０１の設定処理部４１４は、例えば、所定の時間内に、他の通信装置１０１から、ステップＳ９０１で通知した装置ＩＤを使用していることを示す重複情報を受信したか否かを判断する。
【０１２０】
他の通信装置１０１から重複情報を受信した場合、通信装置１０１の設定処理部４１４は、装置ＩＤを装置ＩＤ記憶部４１６に記憶させる装置ＩＤの記憶処理を中止し、例えば、処理をステップＳ６０３に戻す。
【０１２１】
一方、他の通信装置１０１から重複情報を受信していない場合、通信装置１０１の設定処理部４１４は、ステップＳ９０３において、設定情報から取得した装置ＩＤを、装置ＩＤ記憶部４１６に記憶する。
【０１２２】
なお、本実施形態では、通信装置１０１の設定処理部４１４は、図９のステップＳ６０１において、装置ＩＤを記憶済の場合、ステップＳ９１１〜Ｓ９１３の処理を実行する。
【０１２３】
ステップＳ９１１において、通信装置１０１の設定処理部４１４は、通信部４１０が、他の通信装置１０１から装置ＩＤを含む通知を受信した場合、処理をステップＳ９１２に移行させる。
【０１２４】
ステップＳ９１２に移行すると、通信装置１０１の設定処理部４１４は、他の通信装置１０１から受信した装置ＩＤが、装置ＩＤ記憶部４１６に記憶した装置ＩＤと重複しているか否かを判断する。
【０１２５】
装置ＩＤが重複していない場合、通信装置１０１の設定処理部４１４は、処理を終了させる。一方、装置ＩＤが重複している場合、ステップＳ９１３において、通信装置１０１の設定処理部４１４は、他の通信装置１０１から通知された装置ＩＤを使用していることを示す重複情報を、通信部４１０を用いて送信（例えば、一斉送信）する。
【０１２６】
上記の処理により、本実施形態に係る通信装置１０１によれば、複数の通信装置１０１に同じ装置ＩＤが重複して設定されることを低減させることができる。
【０１２７】
［第３の実施形態］
第３の実施形態では、通信装置１０１は、装置ＩＤ記憶部４１６に装置ＩＤが記憶されていない場合、他の通信装置１０１から通知された装置ＩＤを、他装置ＩＤ記憶部４１７に記憶しておく。これにより、通信装置１０１は、管理装置１０２から受信した装置ＩＤと、他装置ＩＤ記憶部４１７に記憶した他の通信装置１０１の装置ＩＤを比較し、装置ＩＤが重複しているか否かを判断することができるようになる。
【０１２８】
従って、例えば、図９に示す第２の実施形態に係る通信装置の設定処理において、装置ＩＤを記憶済である場合に実行していたステップＳ９１１〜Ｓ９１３の処理を省略することができるようになる。
【０１２９】
（他装置ＩＤの記憶処理）
図１０は、第３の実施形態に係る他装置ＩＤの記憶処理の例を示すフローチャートである。
【０１３０】
ステップＳ１００１において、通信装置１０１は、装置ＩＤ記憶部４１６に装置ＩＤが記憶されている場合、処理を終了させる。一方、通信装置１０１は、装置ＩＤ記憶部４１６に装置ＩＤが記憶されていない場合、処理をステップＳ１００２に移行させる。
【０１３１】
ステップＳ１００２に移行すると、通信装置１０１の他装置ＩＤ記憶部４１７は、通信部４１０が、他の通信装置１０１から、装置ＩＤを含む通知を受信すると、処理をステップＳ１００３に移行させる。
【０１３２】
ステップＳ１００３に移行すると、通信装置１０１の他装置ＩＤ記憶部４１７は、通信部４１０が他の通信装置１０１から受信した通知に含まれる装置ＩＤを、他装置ＩＤ記憶部４１７に記憶（追加）する。
【０１３３】
上記の処理により、通信装置１０１は、装置ＩＤ記憶部４１６に装置ＩＤを記憶していない場合、他の通信装置１０１から装置ＩＤを含む通知を受信すると、受信した通知に含まれる装置ＩＤを、他装置ＩＤ記憶部４１７に記憶する。
【０１３４】
（通信装置の設定処理）
図１１は、第３の実施形態に係る通信装置の設定処理の例を示すフローチャートである。なお、図１１のステップＳ６０１〜Ｓ６０４の処理は、図６に示す第１の実施形態に係る通信装置の設定処理と同様なので、ここでは、第１の実施形態との相違点を中心に説明を行う。
【０１３５】
通信装置１０１は、ステップＳ６０４において、設定情報受信部４１３が設定情報を受信すると、第３の実施形態に係る装置ＩＤの記憶処理１１００を実行する。
【０１３６】
ステップＳ１１０１において、通信装置１０１の設定処理部４１４は、ステップＳ６０４で受信した設定情報から取得した装置ＩＤが、他装置ＩＤ記憶部４１７に記憶されているか否かを判断する。
【０１３７】
取得した装置ＩＤが他装置ＩＤ記憶部４１７に記憶されている場合、設定処理部４１４は、装置ＩＤの記憶処理１１００を中止し、例えば、処理をステップＳ６０３に戻す。
【０１３８】
一方、取得した装置ＩＤが他装置ＩＤ記憶部４１７に記憶されていない場合、通信装置１０１は、処理をステップＳ１１０２に移行させる。
【０１３９】
ステップＳ１１０２に移行すると、通信装置１０１の通知部４１５は、設定情報受信部４１３が受信した設定情報から取得した装置ＩＤを他の通信装置１０１に通知する。例えば、通知部４１５は、取得した装置ＩＤを含む通知を、通信部４１０を用いて一斉送信する。
【０１４０】
ステップＳ１１０３において、通信装置１０１の設定処理部４１４は、設定情報受信部４１３が受信した設定情報から取得した装置ＩＤを、装置ＩＤ記憶部４１６に記憶する。
【０１４１】
上記の処理によれば、通信装置１０１は、他の通信装置１０１から通知された装置ＩＤを他装置ＩＤ記憶部４１７に記憶しているので、他の通信装置からの重複情報を待たずに、装置ＩＤの重複の有無を判断することができる。
【０１４２】
また、通信装置１０１は、他の通信装置１０１から装置ＩＤの通知を受けた場合でも、重複情報を返信する必要がないので、例えば、図９のステップＳ９１１〜Ｓ９１３の処理を省略することができる。
【０１４３】
［第４の実施形態］
第４の実施形態では、通信装置１０１は、検知部４１１が、所定の数（例えば２つ）の検知対象を検知した場合に、要求情報送信部４１２による要求情報の送信を行う。これにより、例えば、通行人等を誤検知して、装置ＩＤの設定処理が実行されることを低減させることができる。
【０１４４】
（通信装置の設定処理）
図１２は、第４の実施形態に係る通信装置の設定処理の例を示すフローチャートである。
【０１４５】
（処理の一例）
図１２（ａ）は、第４の実施形態に係る設定処理の一例を示している。なお、図１２（ａ）のステップＳ６０１、及びステップＳ６０３〜Ｓ６０５の処理は、図６に示す第１の実施形態に係る通信装置の設定処理と同様なので、ここでは第１の実施形態との相違点を中心に説明を行う。
【０１４６】
ステップＳ１２１１において、通信装置１０１の検知部４１１は、所定の範囲内で第１の検知対象を検知したか否かを判断する。
【０１４７】
例えば、検知部４１１は、図２の検知デバイス１０４−１で、検知対象が検知されたか否かを判断する。例えば、検知デバイス１０４−１が、所定の範囲内における人体の有無を検知する人感センサである場合、検知部４１１は、所定の範囲内で人体が検知されたか否かを判断する。
【０１４８】
通信装置１０１は、所定の範囲内で第１の検知対象が検知されると、処理をステップＳ１２１２に移行させる。
【０１４９】
ステップＳ１２１２において、通信装置１０１の検知部４１１は、所定の範囲内で第２の検知対象を検知したか否かを判断する。
【０１５０】
例えば、検知部４１１は、図２の検知デバイス１０４−２で、検知対象が検知されたか否かを判断する。例えば、検知デバイス１０４−２が、所定以上の光量（例えば、レーザーポインタの照射等）を検知する光量センサである場合、検知部４１１は、所定以上の光量が検知されたか否かを判断する。
【０１５１】
所定の範囲内で第２の検知対象が検知された場合、通信装置１０１は、ステップＳ６０３〜Ｓ６０５の処理を実行する。一方、所定の範囲内で第２の検知対象が検知されない場合、処理をステップＳ１２１１に戻す。
【０１５２】
上記の処理により、通信装置１０１は、検知デバイス１０４−１による第１の検知対象が検知され、かつ検知デバイス１０４−２による第２の検知対象が検知された場合、ステップＳ６０３〜Ｓ６０５の処理を実行する。これにより、通信装置１０１は、検知部４１１の誤検知による要求情報の送信を低減させることができる。
【０１５３】
（処理の別の一例）
図１２（ｂ）は、第４の実施形態に係る設定処理の別の一例を示している。なお、図１２（ｂ）のステップＳ６０１、及びステップＳ６０３〜Ｓ６０５の処理は、図６に示す第１の実施形態に係る通信装置の設定処理と同様なので、ここでは第１の実施形態との相違点を中心に説明を行う。
【０１５４】
ステップＳ１２２１において、通信装置１０１の検知部４１１は、所定の数の検知対象を検知したか否かを判断する。
【０１５５】
例えば、図２において、通信装置１０１は、３つ以上の検知デバイス１０４を有し、そのうち、所定の数（例えば、２つ）の検知デバイス１０４が、検知対象を検知したか否かを判断する。
【０１５６】
所定の数の検知対象が検知された場合、通信装置１０１は、ステップＳ６０３〜Ｓ６０５の処理を実行する。一方、所定の数の検知対象が検知されない場合、通信装置１０１は、同様の処理を繰り返す。
【０１５７】
上記の処理により、通信装置１０１は、所定の数の検知対象が検知された場合、ステップＳ６０３〜Ｓ６０５の処理を実行する。これにより、通信装置１０１は、検知部４１１の誤検知による要求情報の送信を低減させることができる。
【０１５８】
［第５の実施形態］
第５の実施形態では、通信装置１０１は、例えば、管理装置１０２等から、予め定められた設定開始指示を受信した場合、通信装置の設定処理を実行する場合の例について説明する。
【０１５９】
（通信装置の設定処理）
図１３は、第５の実施形態に係る通信装置の設定処理の例を示すフローチャートである。なお、図１３のステップＳ６０１、及びステップＳ６０２〜Ｓ６０５の処理は、図６に示す第１の実施形態に係る通信装置の設定処理と同様なので、ここでは第１の実施形態との相違点を中心に説明を行う。
【０１６０】
ステップＳ１３０１において、通信装置１０１の設定処理部４１４は、例えば、管理装置１０２等から、予め定められた設定開始指示を受信しているか否かを判断する。
【０１６１】
例えば、管理装置１０２は、装置ＩＤの設定を開始するとき、装置ＩＤの設定を開始することを示す設定開始指示を一斉送信するものとする。
【０１６２】
管理装置１０２から設定開始指示を受信していない場合、通信装置１０１は、通信装置の設定処理を終了させる。一方、管理装置１０２から設定開始指示を受信している場合、通信装置１０１は、ステップＳ６０２〜Ｓ６０５の処理を実行する。
【０１６３】
上記の処理により、装置ＩＤの設定処理を行わないときに、装置ＩＤを記憶していない通信装置１０１から、不要な要求情報が送信されることを低減させることができる。
【０１６４】
［第６の実施形態］
第１〜第５の実施形態では、管理装置１０２の設定情報管理部４２３が採番リスト４３２を記憶部４２７に記憶し、設定情報管理部４２３が装置ＩＤを採番して、各通信装置１０１に送信していた。
【０１６５】
第６の実施形態では、管理装置１０２が、採番リストを通信装置１０１に通知し、通信装置１０１側で装置ＩＤの採番を行う場合の例について説明する。
【０１６６】
＜機能構成＞
図１４は、第６の実施形態に係る通信システムの機能構成図である。
【０１６７】
（管理装置の機能構成）
第６の実施形態に係る管理装置１０２は、図４に示す一実施系形態に係る管理装置１０２の機能構成に加えて、採番リスト通知部１４２１を有している。なお、他の構成は、図４に示す一実施系形態に係る管理装置１０２の機能構成と同様なので、ここでは、図４に示す一実施系形態に係る管理装置１０２の機能構成との相違点を中心に説明を行う。
【０１６８】
採番リスト通知部１４２１は、例えば、図５（ｂ）に示すような採番リスト４３２を、通信部４２０を介して、複数の通信装置１０１に通知する手段であり、例えば、図３のＣＰＵ３０１で実行されるプログラムによって実現される。
【０１６９】
例えば、採番リスト通知部１４２１は、図５（ｂ）に示すような採番リスト４３２を、通信部４２０を用いて一斉送信する。
【０１７０】
（通信装置の機能構成）
第６の実施形態に係る通信装置１０１は、図４に示す一実施形態に係る通信装置１０１の他装置ＩＤ記憶部４１７に代えて、採番リスト記憶部１４１１、及び採番処理部１４１２を有する。なお、他の構成は、図４に示す一実施系形態に係る管理装置１０２の機能構成と同様なので、ここでは相違点を中心に説明を行う。
【０１７１】
採番リスト記憶部（第３の記憶部）１４１１は、管理装置１０２から一斉送信された採番リスト（１つ以上の第３の識別情報の一例）が、通信部４１０によって受信されると、受信された採番リストを記憶する。採番リスト記憶部１４１１は、例えば、図２のフラッシュＲＯＭ２０３、及び図２のＣＰＵ２０１で実行されるプログラム等によって実現される。
【０１７２】
採番処理部（第２の設定処理部）１４１２は、採番リスト記憶部１４１１に採番リストが記憶されている場合、検知部４１１により所定の範囲内の検知対象が検知されると、採番リストから１つの装置ＩＤを採番し、採番した装置ＩＤを使用済に更新する。また、採番処理部１４１２は、採番した装置ＩＤを、装置ＩＤ記憶部４１６に記憶する。採番処理部１４１２は、例えば、図２のＣＰＵ２０１で実行されるプログラムによって実現される。
【０１７３】
＜処理の流れ＞
図１５は、第７の実施形態に係る通信システムの設定処理の例を示すシーケンス図である。なお、図１５の処理を開始する前に、図７のステップＳ７０１〜Ｓ７０４に示す設定順序の表示処理が実行済であるものとする。
【０１７４】
ステップＳ１５０１ａ、Ｓ１５０１ｂにおいて、管理装置１０２の採番リスト通知部１４２１は、記憶部４２７に記憶した、例えば、図５（ｂ）に示すような採番リスト４３２を、通信部４２０を用いて一斉送信する。
【０１７５】
ステップＳ１５０２ａ、Ｓ１５０２ｂにおいて、各通信装置１０１−１、１０１−２は、通信部４１０が、管理装置１０２から送信された採番リスト４３２を受信すると、採番リスト記憶部１４１１に、受信された採番リスト４３２を記憶する。
【０１７６】
ステップＳ１５０３において、第１の実施形態と同様に、図８（ａ）に示した表示画面８１０を見た管理者１０３は、位置番号「１」が示す位置へ移動するものとする。
【０１７７】
ステップＳ１５０４において、位置番号「１」が示す位置に設置された通信装置１０１−１の検知部４１１は、例えば、図１に示すように、所定の範囲１０５内の検知対象（管理者１０３、又は管理装置１０２）を検知する。
【０１７８】
ステップＳ１５０５において、通信装置１０１−１の採番処理部１４１２は、採番リスト記憶部１４１１に採番リストが記憶されているので、例えば、図５（ｂ）に示す採番リスト４３２から未使用の装置ＩＤ「０ｘ０００４」を採番し、状態を使用済に変更する。また、採番処理部１４１２は、採番した装置ＩＤを装置ＩＤ記憶部４１６に記憶する。
【０１７９】
ステップＳ１５０６ａ、Ｓ１５０６ｂにおいて、通信装置１０１−１の採番処理部１４１２は、ステップＳ１５０５で採番した装置ＩＤを、通信部４１０で一斉送信する。
【０１８０】
ステップＳ１５０７において、管理装置１０２の設定情報管理部４２３は、例えば、図８（ａ）に示される現在の設定位置である位置番号「１」と、通信装置１０１−１から受信した装置ＩＤとを対応付けて、図５（ｃ）に示すような設定情報４３３に記憶する。
【０１８１】
ステップＳ１５０８ａにおいて、管理装置１０２の設定情報管理部４２３は、記憶部４２７に記憶した、例えば、図５（ｂ）に示されるような採番リスト４３２のうち、通信装置１０１−１から通知された装置ＩＤ「０ｘ０００４」を使用済に更新する。
【０１８２】
ステップＳ１５０８ｂにおいて、通信装置１０１−２の採番処理部１４１２は、採番リスト記憶部１４１１に記憶した採番リストのうち、通信装置１０１−１から通知された装置ＩＤ「０ｘ０００４」を使用済に更新する。
【０１８３】
ステップＳ１５０９において、管理者１０３は、位置番号「２」が示す位置へ移動するものとする。
【０１８４】
ステップＳ１５１０において、位置番号「２」が示す位置に設置された通信装置１０１−２の検知部４１１は、所定の範囲内の検知対象を検知する。
【０１８５】
ステップＳ１５１１において、通信装置１０１−２の採番処理部１４１２は、採番リスト記憶部１４１１に採番リストが記憶されているので、採番リスト記憶部１４１１に記憶した採番リストから未使用の装置ＩＤを採番し、状態を使用済に変更する。
【０１８６】
ステップＳ１５１２ａ、Ｓ１５１２ｂにおいて、通信装置１０１−２の採番処理部１４１２は、ステップＳ１５１１で採番した装置ＩＤを、通信部４１０で一斉送信する。
【０１８７】
ステップＳ１５１３において、管理装置１０２の設定情報管理部４２３は、例えば、図８（ｂ）に示される現在の設定位置である位置番号「２」と、通信装置１０１−２から受信した装置ＩＤとを対応付けて、設定情報４３３に記憶する。
【０１８８】
ステップＳ１５１４ａにおいて、管理装置１０２の設定情報管理部４２３は、記憶部４２７に記憶した採番リスト４３２のうち、通信装置１０１−２から通知された装置ＩＤを使用済に更新する。
【０１８９】
ステップＳ１５０８ｂにおいて、通信装置１０１−１の採番処理部１４１２は、採番リスト記憶部１４１１に記憶した採番リストのうち、通信装置１０１−２から通知された装置ＩＤ「０ｘ０００４」を使用済に更新する。
【０１９０】
上記の処理により、装置ＩＤの採番処理を通信装置１０１側で行うことができるようになる。このように、本実施形態に係る通信システム１００は、様々なシステム構成が可能である。例えば、通信装置１０１に含まれる各機能構成の一部は、管理装置１０２に含まれていても良い。また、管理装置１０２に含まれる各機能構成の一部は、通信装置１０１に含まれていても良い。
【０１９１】
また、管理装置１０２に含まれる各機能構成は、複数の情報処理装置に分散して設けられていても良い。
【０１９２】
例えば、上記の各実施形態において、管理者１０３が、例えば、図８に示すような表示画面に従って、管理装置１０２と共に移動するものとして説明を行った。しかし、図８に示すような表示画面は、他の情報処理装置（例えば、タブレット端末等）に表示されるものであっても良い。この場合、管理装置１０２は移動せずに、タブレット端末を持った管理者１０３（又はタブレット端末の利用者）が、指定された移動経路に従って、移動すれば良い。
【０１９３】
［通信装置による制御の例］
ここで、通信装置１０１による所定の制御の例について説明する。
【０１９４】
図１６、１７は、一実施形態に係る通信システムの処理の例を示す図である。
【０１９５】
（制御処理の例）
図１６（ａ）は、管理装置１０２の利用者である管理者１０３が、管理装置１０２を用いて、通信装置１０１を制御する制御処理の例を示している。なお、管理装置１０２は、通信装置１０１を制御する情報処理装置の一例であり、他の情報処理装置であっても良い。例えば、通信装置１０１を制御する情報処理装置は、第１〜６の実施形態に係る装置ＩＤの設定処理を実行する機能を有していなくても良い。
【０１９６】
ステップＳ１６１１において、管理者１０３は、管理装置１０２に制御操作を行う。例えば、管理者は、図５に示すようなレイアウト図を表示する表示画面から、位置番号「１」を選択し、光量を最大時の５０％に設定する５０％稼動の操作を行う。
【０１９７】
ステップＳ１６１２において、管理装置１０２の機器制御部４２４は、位置番号「１」に対応する装置ＩＤ「０ｘ０００４」を取得し、取得した装置ＩＤと制御内容（５０％稼動）とを含む制御情報を、通信部４２０を用いて送信（例えば、一斉送信）する。
【０１９８】
ステップＳ１６１３において、通信装置１０１−１の制御部４１８は、装置ＩＤ記憶部４１６に記憶した装置ＩＤを含む制御要求を受信すると、制御要求に含まれる制御内容に従って、例えば、照明の明るさを５０％にする調光制御を行う。
【０１９９】
（センシング処理の例）
図１６（ｂ）は、通信装置１０１が、例えば、所定の時間等に検知した環境情報を、自装置の装置ＩＤと共に管理装置１０２に通知するセンシング処理の例を示している。なお、管理装置１０２は、通信装置１０１から通知される環境情報を管理する情報処理装置の一例であり、他の情報処理装置であっても良い。
【０２００】
ステップＳ１６２１において、例えば、通信装置１０１−２の制御部４１８は、検知部４１１を用いて、所定の時間等に、環境情報（温度、湿度、明るさ等）を検知する。
【０２０１】
ステップＳ１６２１において、通信装置１０１−２の制御部４１８は、ステップＳ１６２１で検知した環境情報を、装置ＩＤ記憶部４１６に記憶した装置ＩＤ「０ｘ０００５」と共に、管理装置１０２に送信する（又は一斉送信する）。
【０２０２】
ステップＳ１６２３において、管理装置１０２の機器制御部４２４は、受信した環境情報に含まれる装置ＩＤ「０ｘ０００５」と、例えば、図５（ｃ）に示す設定情報４３３とに基づいて、位置番号「２」の環境情報として管理（記憶）する。
【０２０３】
（自動制御の例）
図１７は、上記のセンシング処理と制御処理とを組合せた自動制御の例を示している。なお、管理装置１０２は、通信システム１００を自動制御する情報処理装置の一例であり、他の情報処理装置であっても良い。
【０２０４】
ステップＳ１７０１において、管理者１０３は、管理装置１０２に自動制御の設定操作を行う。これにより、通信システム１００は、例えば、ステップＳ１７０２〜Ｓ１７１１に示すような処理を自動的に実行する。
【０２０５】
ステップＳ１７０２において、通信装置１０１−１の制御部４１８は、検知部４１１を用いて、環境情報（温度、湿度、明るさ等）を検知する。
【０２０６】
ステップＳ１７０３において、通信装置１０１−１の制御部４１８は、ステップＳ１７０２で検知した環境情報を、装置ＩＤ記憶部４１６に記憶した装置ＩＤ「０ｘ０００４」と共に、管理装置１０２に送信する（又は一斉送信する）。
【０２０７】
ステップＳ１７０４において、管理装置１０２の機器制御部４２４は、受信した環境情報に含まれる装置ＩＤ「０ｘ０００４」と、例えば、図５（ｃ）に示す設定情報４３３とに基づいて、位置番号「１」の環境情報として管理（記憶）する。
【０２０８】
ステップＳ１７０５において、通信装置１０１−２の制御部４１８は、検知部４１１を用いて、環境情報（温度、湿度、明るさ等）を検知する。
【０２０９】
ステップＳ１７０６において、通信装置１０１−２の制御部４１８は、ステップＳ１７０２で検知した環境情報を、装置ＩＤ記憶部４１６に記憶した装置ＩＤ「０ｘ０００５」と共に、管理装置１０２に送信する（又は一斉送信する）。
【０２１０】
ステップＳ１７０７において、管理装置１０２の機器制御部４２４は、受信した環境情報に含まれる装置ＩＤ「０ｘ０００５」と、例えば、図５（ｃ）に示す設定情報４３３とに基づいて、位置番号「２」の環境情報として管理（記憶）する。
【０２１１】
ステップＳ１７０８において、管理装置１０２の制御部４１８は、例えば、ステップＳ１７０４において記憶した、位置番号「１」の環境情報に対応する制御要求を、通信装置１０１−１に送信する（又は一斉送信する）。この制御要求には、例えば、位置番号「１」の環境情報に対応する制御内容（例えば、５０％稼動）と、位置番号「１」に対応する装置ＩＤ「０ｘ０００４」とが含まれる。
【０２１２】
ステップＳ１７０９において、通信装置１０１−１の制御部４１８は、装置ＩＤ記憶部４１６に記憶した装置ＩＤを含む制御要求を受信すると、制御要求に含まれる制御内容に従って、例えば、照明の明るさを５０％にする調光制御を行う。
【０２１３】
ステップＳ１７１０において、管理装置１０２の制御部４１８は、例えば、ステップＳ１７０７において記憶した、位置番号「２」の環境情報に対応する制御要求を、通信装置１０１−２に送信する（又は一斉送信する）。この制御要求には、例えば、位置番号「２」の環境情報に対応する制御内容（例えば、６０％稼動）と、位置番号「２」に対応する装置ＩＤ「０ｘ０００５」とが含まれる。
【０２１４】
ステップＳ１７１１において、通信装置１０１−２の制御部４１８は、装置ＩＤ記憶部４１６に記憶した装置ＩＤを含む制御要求を受信すると、制御要求に含まれる制御内容に従って、例えば、照明の明るさを６０％にする調光制御を行う。
【０２１５】
以上、上記の各実施形態に係る通信システム１００によれば、装置ＩＤを予め記憶していない複数の通信装置１０１に、各通信装置１０１が設置された位置に対応する装置ＩＤを設定し、個別に制御することができるようになる。
【符号の説明】
【０２１６】
１００      通信システム
１０１      通信装置
１０２      管理装置
４１０      通信部
４１１      検知部
４１２      要求情報送信部
４１３      設定情報受信部
４１４      設定処理部（第１の設定処理部）
４１５      通知部
４１６      装置ＩＤ記憶部（第１の記憶部）
４１７      他装置ＩＤ記憶部（第２の記憶部）
１４１１    採番リスト記憶部（第３の記憶部）
１４１２    採番処理部（第２の設定処理部）
【先行技術文献】
【特許文献】
【０２１７】
【特許文献１】特開２０１５−５４５９号公報
【図１】
2017212514.tif 000003
【図２】
2017212514.tif 000004
【図３】
2017212514.tif 000005
【図４】
2017212514.tif 000006
【図５】
2017212514.tif 000007
【図６】
2017212514.tif 000008
【図７】
2017212514.tif 000009
【図８】
2017212514.tif 000010
【図９】
2017212514.tif 000011
【図１０】
2017212514.tif 000012
【図１１】
2017212514.tif 000013
【図１２】
2017212514.tif 000014
【図１３】
2017212514.tif 000015
【図１４】
2017212514.tif 000016
【図１５】
2017212514.tif 000017
【図１６】
2017212514.tif 000018
【図１７】
2017212514.tif 000019